(57)【要約】  本発明は、研磨処理によって皮膚から皮膚硬結を除去する皮膚処理デバイスに関し、ハンドル区画（１１０）を備えるハウジングと、回転軸（１０１）の周りで回転可能な皮膚処理要素（１２０）と、保護リム（１３０）とを含む。保護リムは、円周方向研磨処理面が３０°〜２４０°の角度範囲に亘って延在する領域内で保護リムから突出するよう、回転軸について１２０°よりも大きいが３３０°よりも小さい角度範囲に亘って皮膚処理要素を円周方向に部分的に包囲する。
2019536533.tif 000002
【特許請求の範囲】
【請求項１】
ハンドル区画を備えるハウジングと、
回転軸の周りで回転可能な皮膚処理要素と、
前記ハウジングに静止的に配置され、使用中にユーザの皮膚を支持するように構成され且つ配置される軸方向皮膚接触面を有する、保護リムと、
前記回転軸についての回転運動において前記皮膚処理要素を駆動するための駆動機構とを含み、
前記皮膚処理要素は、保護リムに対して回転可能であり、
前記皮膚処理要素は、前記保護リムの軸方向開口を通じて皮膚処理のためにアクセス可能な軸方向研磨処理面を有し、前記軸方向開口は、前記回転軸について３６０°の角度範囲に亘って延在し、
前記皮膚処理要素は、少なくとも部分的に径方向の向きを有する周方向研磨処理面を更に有し、前記保護リムは、前記周方向研磨処理面が前記回転軸について３０°〜２４０°の角度範囲に亘って延在する領域内で皮膚処理のためにアクセス可能であるよう、前記回転軸について１２０°よりも大きいが３３０°よりも小さい角度範囲に亘って部分的に前記皮膚処理要素を円周方向に包囲する、
皮膚処理デバイス。
【請求項２】
前記回転軸と平行な軸方向における互いに対する前記皮膚処理要素の位置及び前記保護リムの位置の軸方向調整は、前記保護リムに対する前記軸方向研磨処理面の前記位置を前記軸方向において変更し得るように提供される、請求項１に記載の皮膚処理デバイス。
【請求項３】
前記軸方向調整は、少なくとも前記回転軸と平行な運動成分で移動可能な前記保護リム又は前記皮膚処理要素によって提供される、請求項２に記載の皮膚処理デバイス。
【請求項４】
前記軸方向調整は、
−  前記ハウジングに取り付けられるべき複数の異なる交換可能な保護リムから選択される前記保護リムによって提供され、前記交換可能な保護リムは、前記回転軸と平行な相互に異なる高さを有し、且つ／或いは
−  前記ハウジングに取り付けられるべき複数の異なる交換可能な皮膚処理要素から選択される前記皮膚処理要素によって提供され、前記交換可能な皮膚処理要素は、前記回転軸と平行な相互に異なる高さを有する、
請求項２に記載の皮膚処理デバイス。
【請求項５】
前記保護リムは、円周方向の内側エッジを含み、該円周方向の内側エッジは、前記軸方向研磨処理面に沿って径方向外向きに投げ出される粒子が前記内側エッジによって収集されて、粒子収集空間内に向けられるように、前記皮膚処理要素を部分的に取り囲み、前記軸方向研磨処理面より上に突出し或いは前記軸方向研磨処理面と面一である、請求項１に記載の皮膚処理デバイス。
【請求項６】
前記粒子収集空間内に収集される粒子を収集ボックスまで搬送する搬送デバイスを更に含む、請求項５に記載の皮膚処理デバイス。
【請求項７】
前記搬送デバイスは、前記駆動機構によって駆動されるファンとして具現される、請求項６に記載の皮膚処理デバイス。
【請求項８】
前記搬送デバイスは、前記回転軸について回転可能に取り付けられ、前記皮膚処理要素と同期して駆動される、請求項７に記載の皮膚処理デバイス。
【請求項９】
前記皮膚処理要素は、前記周方向研磨処理面が皮膚処理のためにアクセス可能である前記領域内に、前記ハウジングの径方向外向きに突出する、請求項１に記載の皮膚処理デバイス。
【請求項１０】
前記皮膚処理要素は、前記軸方向研磨処理面を形成する当接面にある研磨処理面を有し、前記周方向研磨処理面を形成する研磨周エッジを有する、ディスク形状の研磨ツールである、請求項１に記載の皮膚処理デバイス。
【請求項１１】
前記ハンドル区画は、ハンドル軸に沿って延び、前記回転軸は、前記ハンドル軸に対して２０°〜９０°の範囲内で選択される角度で向けられ、
前記皮膚処理要素は、０．３ｍｍ〜１０ｍｍの範囲内で選択されるエッジ半径を備える、前記軸方向研磨処理面と前記周方向研磨処理面との間にエッジを有するディスク形状であり、
前記皮膚処理要素は、２５ｍｍ〜５５ｍｍの範囲内で選択されるディスク直径を有するディスク形状であり、
前記駆動機構は、前記皮膚処理要素の回転速度が２００ｒｐｍ〜１０００ｒｐｍの範囲内にあるように制御するように構成され、
前記軸方向研磨処理面及び前記周方向研磨処理面は、それぞれ、ＡＮＳＩ定義に従った８０〜２００の範囲内から選択されるグリットサイズを有する研磨面を形成するように構成される、
請求項１に記載の皮膚処理デバイス。
【請求項１２】
前記皮膚処理要素を完全に包囲するように前記保護リムと協働するよう、それぞれ前記回転軸について３０°よりも大きいが２４０°よりも小さい角度範囲に亘って前記皮膚処理要素を円周方向に包囲するように構成される、保護リム要素を更に含み、該保護リム要素は、前記皮膚処理要素がその円周に沿って前記保護リムによって部分的に包囲される第１の位置から、前記皮膚処理要素がその円周に沿って前記保護リム及び前記保護リム要素によって完全に包囲される第２の位置に切り替えられることができる、請求項１に記載の皮膚処理デバイス。
【請求項１３】
前記第１の位置から前記第２の位置への切り替え及び前記第２の位置から前記第１の位置への切り替えは、前記ハウジングに解放可能に取り付けられる或いは前記ハウジングに対して移動可能である前記保護リム要素によって提供される、請求項１２に記載の皮膚処理デバイス。
【請求項１４】
前記保護リムは、前記回転軸と平行な方向に移動可能であり、前記保護リムが前記回転軸に沿って前記皮膚処理要素より上に軸方向に突出する外向き位置に向かって付勢される、請求項１に記載の皮膚処理デバイス。
【請求項１５】
前記保護リムは、互いに対して移動可能な複数のリムセグメントを含む、請求項１に記載の皮膚処理デバイス。
【発明の詳細な説明】
【技術分野】
【０００１】
本発明は、研磨処理(abrasive  treatment)によって皮膚から皮膚硬結(callus)を除去する皮膚処理デバイス(skin  treatment  device)に関する。
【背景技術】
【０００２】
皮膚からの皮膚硬結の除去は、一般的に、やすり、軽石、及びクリームのような、適切なハンドツールを使用して、手作業で行われることができる。皮膚から皮膚硬結を除去するより効果的で時間を節約する方法は、皮膚に対して動かされる研磨面(abrasive  surface)を有する電気駆動デバイスの使用である。皮膚硬結は、そのようなデバイスによって研削される(ground  off)ことができる。主に、そのようなデバイスは、研磨周面を備えるローラが、ある軸について回転するよう駆動させられて、その軸に対して垂直な方向に延びるハンドルに取り付けられる、ように構成される。ローラは、ローラの回転軸が皮膚表面と平行である状態で、皮膚に亘って案内されることができる。このようにして、ローラの周面は皮膚硬結を研磨し且つ研削する。
【０００３】
そのような皮膚硬結除去デバイスの他の構成によれば、研磨面は、モータによって回転させられるディスクの軸方向面に設けられる。ディスクの軸方向面は平面的であってよく、研削及び研磨効果をもたらすために皮膚と接触させられることができる。この構成において、回転軸は、デバイスの使用中に皮膚表面に対して垂直である。
【０００４】
様々な問題がそのような皮膚硬結除去デバイスに関連する。周方向の研磨面を備えるローラを有する構成は、有意な局所的な研磨をもたらすことが分かったが、皮膚のより大きな領域に亘って一定の研磨が達成されるような方法で取り扱い且つ制御することは困難である。ディスク形状の研磨要素を有するデバイスを制御するのは困難である。何故ならば、ディスクが、僅かに角度のある向きで、即ち、回転軸が皮膚表面に対して正確に垂直でない状態で、皮膚と接触する状態では、ねじり力が、回転する研磨面のそのような部分的な接触によって生成され、それは、デバイスを、デバイスが初期的に位置した領域から、皮膚に亘って移動させるからである。そのような状況では、ユーザがデバイスを制御してその位置を正確に維持することは困難である。
【０００５】
米国特許出願公開第２０１４／０３０５４５８Ａ１号明細書及び国際公開第２００６／００２４８９Ａ１号は、軸方向研磨面を備える回転ディスクを用いて皮膚の研磨処理を行うためのそのようなツールを開示している。これらのデバイスは、ディスクの全周がリムによって覆われるようにディスクを包囲するリムを有するハウジングを含む。このようにして、皮膚に亘るディスクの移動をもたらす望ましくないねじり力の発生が有意に低減されるように、皮膚上のディスク表面の角度的な、即ち、非平面的な位置決めの影響が逓減される。しかしながら、これらのデバイス中に示されるそのような構成は、皮膚硬結除去の効率を低下させることが分かった。効率は、ある時間期間内に除去される皮膚硬結の量又は質量によって定義されるように理解される。更に、小さな皮膚領域の精密な処理は、そのような構成では可能でない。
【０００６】
国際公開第２０１５／０８２９９５Ａ１号は、ハウジングと、ハウジングに回転可能に連結される研磨外周面を有するドラムアセンブリとを含む、化粧デバイスを開示している。ある実施形態では、シールド又はガードがハウジングに連結されて、ドラムアセンブリの一部の周りに延在することがある。ドラムアセンブリの一端に追加的な平坦な又はディスク形状の研磨部分を含むドラムアセンブリを含む、ドラムアセンブリの様々な実施形態が開示されている。
【発明の概要】
【発明が解決しようとする課題】
【０００７】
上記で説明した問題を克服し、皮膚の精密な処理を可能にする、皮膚硬結除去デバイスを提供することが、本発明の目的である。
【課題を解決するための手段】
【０００８】
この問題は、ハンドル区画を備えるハウジングと、回転軸の周りで回転可能な皮膚処理要素と、ハウジングに静止的に配置され、使用中にユーザの皮膚を支持するように構成され且つ配置される軸方向皮膚接触面を有する、保護リムと、皮膚処理要素を回転軸についての回転運動において駆動するための駆動機構とを含み、皮膚処理要素は、保護リムの軸方向開口を通じて皮膚処理のためにアクセス可能な軸方向研磨処理面を有し、軸方向開口は、回転軸について３６０°の角度範囲に亘って延在し、皮膚処理要素は、少なくとも部分的に径方向の向きを有する周方向研磨処理面を更に有し、保護リムは、円周方向研磨処理面が回転軸について３０°〜２４０°の角度範囲に亘って延在する領域内で皮膚処理のためにアクセス可能であるよう、回転軸について１２０°よりも大きいが３３０°よりも小さい角度範囲に亘って皮膚処理要素を部分的に円周方向に包囲する、皮膚処理デバイスによって、本発明に従って解決される。
【０００９】
本発明に従った皮膚処理デバイスは、軸方向研磨処理面と周方向研磨処理面とを有する皮膚処理要素を含む。軸方向研磨処理面は、回転ディスクの前面(front  side)のように軸方向に対して略垂直に方向付けられた或いはそのような向きを備える表面区画を少なくとも有する処理面であると理解されよう。周方向研磨処理面は、その表面に対して直交するベクトルが回転ディスクの周縁面のように径方向と平行な構成要素を有するように方向付けられると理解されよう。軸方向は、回転軸と平行であるものと理解されるのに対し、径方向は、回転軸に対して直交すると理解されよう。軸方向研磨処理面は、凹面形状又は凸面形状のような、平坦な又は湾曲した形状を有してよい。周方向研磨処理面は、円柱形状又は円錐形状を有してよく、或いは、周方向研磨処理面は、凹面又は凸面の曲率を備える、回転軸に沿う縦断面において湾曲した断面形状を有してよい。
【００１０】
好ましくは、周方向研磨処理面及び軸方向研磨処理面は、鋭いエッジが付けられてよい、斜面が付けられてよい、或いは丸められてよい、円形リムを形成するよう、互いに隣接することが理解されるべきである。
【００１１】
皮膚処理要素は、駆動機構によって回転軸の周りの回転運動に駆動される。そのような回転運動は、回転軸の周りの一方向における一定の回転であると理解され、回転方向は、デバイスのユーザによって選択可能であってよい。回転運動は、代替的に、回転方向が頻繁に変わる振動的な回転運動であってよい。皮膚処理デバイスは、ユーザがデバイスに組み込まれた制御ユニットのユーザインタフェースを介して一定の回転運動又は振動的な回転運動のいずれかを選択できるように構成されてよい。
【００１２】
皮膚処理デバイスは、駆動機構を更に含む。そのような駆動機構は、ハウジングに組み込まれたモータを含んでよいが、代替的に、モータは、ハウジングに対してある距離に配置されて、フレキシブルシャフトのような機械的連結要素を介して皮膚処理要素に連結されてよいことが理解されよう。好ましくは、駆動機構は、電気モータを含む。交換可能な又は再充電可能なバッテリのような電気エネルギ源をデバイスのハウジング内に含めて電気モータにエネルギを提供してよいことが更に理解されよう。
【００１３】
保護リムが皮膚処理デバイスのハウジングに配置される。保護リムはハウジングと一体的であってよく、或いはハウジングに取り付けられる別個の要素であってよい。保護リムをハウジングに解放可能に固定して保護リムの交換又は取替えを可能にしてよい。保護リムは、その周方向研磨処理面に沿って皮膚処理要素を完全に取り囲まず、回転軸について１２０°〜３３０°の角度を通じて部分的にのみ皮膚処理要素を取り囲む。結果として、皮膚処理要素は、回転軸について少なくとも３０°〜２４０°の角度範囲に亘って保護リムによって径方向に覆われない。保護リムに関して使用する「特定の角度範囲に亘って部分的に包囲する」及び「特定の角度範囲に亘って部分的に取り囲む」という表現は、前記特定の角度範囲の角度的拡張を通じての連続的な包囲及び取り囲み並びに断続的な包囲又は取り囲みの両方を包含するものと理解されるべきであり、保護リムは、前記特定の角度範囲内の開口を含んでよく、或いは、保護リムは、前記特定の角度範囲内に配置され、開口によって分離される、多数の個々のリムセグメントを有する。
【００１４】
保護リムは、皮膚処理デバイスの使用中にユーザの皮膚を支持するように構成され且つ配置される軸方向皮膚接触面を有する。皮膚処理要素の軸方向研磨処理面と同様に、軸方向皮膚接触面は、軸方向に対して略垂直に方向付けられるか或いは少なくともそのような方向付けを備える表面区画を有する皮膚接触面であると理解され、軸方向は、回転軸と平行であると理解される。
【００１５】
保護リムのこの特定の設計は、たとえ軸方向研磨処理面が皮膚表面に対してある角度向きに位置付けられるとしても、回転する皮膚処理要素によって引き起こされる有意なねじり力を防止することが分かった。これはそのような角度向きにおける皮膚と皮膚処理要素との接触を防止すること及び皮膚処理要素の隅領域が皮膚と接触するのを防止することの両方によって達成される。更に、保護リムは、それが皮膚上の支持体として機能するという点で、軸方向研磨処理面の平面的な位置決めを容易にする。本発明に従った皮膚処理デバイスは、この突出区画における皮膚の小さい領域の精密な処理のために周方向研磨処理面及び軸方向研磨処理面の両方を使用し得るように、保護リムから径方向に突出してよい、皮膚処理要素を提供する。このようにして、皮膚処理デバイスは、大きな皮膚領域を処理するための改良された取扱い、制御及び効率をもたらすが、同時に、小さな皮膚領域又は到達するのが困難なあらゆる皮膚領域の改良された精密処理をもたらす。
【００１６】
よって、周方向研磨処理面は、保護リムにある限定的な角度的広がりの周方向開口を通じてのみに到達されることができるが、軸方向研磨処理面は、回転軸についての３６０°の全角度範囲に亘って延在する保護リムの開口を通じて到達されることができる。具体的には、保護リムは、軸方向研磨処理面にアクセス可能な軸方向開口を有してよく、前記軸方向開口は、軸方向処理面と同じ大きさである。
【００１７】
リムが回転軸について皮膚処理要素を取り囲む角度の下限は、１３５°、１６０°、１８０°又は２２５°から選択されてよいのに対し、上限は、１８０°、２２５°、２７５°及び３００°から選択されてよく、皮膚処理要素の区画の対応する範囲は径方向に覆われないことが理解されるべきである。
【００１８】
一般的に、保護リムは、皮膚処理の過程で皮膚表面に亘って皮膚処理デバイスを滑らせるのを容易にするために、皮膚処理要素の研磨処理面と比べてかなり滑らかな皮膚接触面を有する。
【００１９】
第１の好ましい実施形態によれば、回転軸と平行な軸方向における皮膚処理要素の位置及び保護リムの位置の互いに対する軸方向調整は、保護リムに対する軸方向研磨処理面の位置を軸方向において変更し得るように提供される。この実施形態は、皮膚処理要素の位置に対する保護リムの位置の軸方向調整を可能にする。一般的に、これは、皮膚処理要素がハウジングで固定的な軸方向位置において取り付けられる間に、保護リムをハウジングに対して回転軸と平行な軸方向に移動させることができるような方法において、或いは、逆に、保護リムがハウジングで固定的な軸方向位置において取り付けられる間に、皮膚処理要素がハウジングに対して軸方向移動を行うことができるような方法において、保護リムを取り付けることによって達成されることができる。代替的に、保護リム及び皮膚処理要素の両方が、ハウジングに対して軸方向移動を行うことができる。多くの用途では、皮膚処理要素の軸方向研磨処理面を平坦な表面に位置付けるときに、保護リムが平坦な表面と接触するように、皮膚処理要素の軸方向研磨処理面が保護リムの軸方向皮膚接触面と面一であることが好ましい。しかしながら、幾つかの用途では、保護リムに対する皮膚処理要素の軸方向研磨処理面の突出位置が好ましいのに対し、他の特定の用途では、保護リムに対する軸方向研磨処理面の凹まされた位置が好ましい。例えば、軸方向研磨処理面の突出位置は、より高い研磨速度を生み出し、よって、皮膚硬結材料の切除速度の改良された効率をもたらす一方で、同時に、軸方向研磨処理面が皮膚に対して角度位置にあるときに起こるねじり力の傾向を増大させる。逆に、軸方向研磨処理面の凹まされた位置が取扱いを容易にし、如何なるねじり力の発生もより良好に防止するが、同時に切除速度を低下させる。この好ましい実施形態は、軸方向の調整が、ハウジングに取り付けられるべき多数の異なる交換可能な保護リムから選択される保護リムによって提供され、交換可能な保護リムが、回転軸と平行な相互に異なる高さを有し、且つ／或いは、皮膚処理要素が、ハウジングに取り付けられるべき多数の異なる交換可能な皮膚処理要素から選択され、交換可能な皮膚処理要素が、回転軸と平行な相互に異なる高さを有する点において、更に改良される。この実施形態によれば、本発明に従った皮膚処理デバイスは、少なくとも２つの異なる保護リム又は少なくとも２つの異なる皮膚処理要素を含み、それらのうちの一方は、ハウジングに取り付けられ、他方に対して交換されてよい。例えば、軸方向研磨処理面及び保護リムの同一な配置のための通常の保護リムが含められてよく、更に、軸方向研磨処理面の突出係合のための下方保護リムと、軸方向研磨処理面の凹み構成のためのより高い保護リムとが含められてよい。この実施形態によれば、保護リムは、例えば、ネジ付き連結、スナップ接続、又はハウジングにある形態ロック対応物(form-locking  counterpart)と係合する保護リムにある弾性的に移動可能な形態ロック部材(form-locking  member)を通じた任意の種類の形態ロック連結のような、解放可能な連結を介して、ハウジングに取り付けられる。更に又は代替的に、粗いグリッドサイズ(grid  size)を有する第１の皮膚処理要素及び細かいグリッドサイ��を有する第２の皮膚処理要素が提供されてよく、第１の皮膚処理要素は、第１の皮膚処理要素が細かいグリッドサイズを備える第２の皮膚処理要素よりも保護リム内に幾分より凹まされるよう、第２の皮膚処理要素よりも低い高さを有する。
【００２０】
異なる高さのこれらの保護リムの他に、皮膚処理デバイスに取り付けられてよい更なる異なる設計の保護リムが含められてよいことが理解されよう。一例として、２つの角度的な間隙（ギャップ）を有する保護リムが提供されてよく、間隙において、保護リムは、皮膚処理要素を包囲しない。これら２つの角度的な間隙は、好ましくは、互いに対向して配置されることがあり、或いは回転軸の周りに回転対称性をもたらすように配置されてよい。
【００２１】
更に、好ましい実施形態は、追加的に又は代替的に、軸方向調整は、少なくとも回転軸と平行な運動成分で移動可能な保護リム又は皮膚処理要素によって提供されるという点で更に改善されることがある。これまでに説明したように、前記運動の一方又は両方を提供して、皮膚処理要素及び保護リムの互いに対する軸方向調整を可能にすることができる。回転軸に沿う動きは、例えば、回転軸に沿う直線的な並進として或いは巻線に沿うネジ型の並進として提供されてよい。更に、保護リムに対する皮膚処理要素の位置を互いに対する特定の軸方向位置においてロック（係止）するために、ロック手段（係止手段）が設けられてよい。
【００２２】
更なる好ましい実施形態によれば、保護リムは、円周方向の内側エッジ(内縁)(inner  edge)を含み、円周方向の内側エッジは、軸方向研磨処理面に沿って径方向外向きに投げ出される粒子が内側エッジによって収集されて、粒子収集空間内に向けられるように、皮膚処理要素を部分的に取り囲み、軸方向研磨処理面より上に突出し或いは軸方向研磨処理面と面一である。一般的に、本発明者は、皮膚硬結が研削作用によって除去されるときに頻繁に発生する悪臭を放つ臭いを観察した。本発明者は、これらの削ぎ落とされた粒子がデバイスから投げ捨てられることを可能にするよりもむしろ、皮膚硬結の研削除去によって生成される粒子が収集空間内に収集されるならば、そのような悪臭を放つ臭いを有意に減少させることができることを見出した。この実施形態によれば、保護リムは、保護リムが削ぎ落とされた粒子を捕捉する捕捉リング(catch  ring)として更に作用するという点において追加の機能をもたらす。この捕捉機能は、粒子が遠心力によって径方向／接線方向に皮膚処理要素から振り落とされ(spun  off)、次に、粒子が内側エッジ内に集められるよう或いは内側エッジが粒子を粒子収集空間に向けるよう、粒子が周方向の内側エッジに当たることによって、可能にされる。周方向の内側エッジは、数ミリメートルのみの範囲内にある或いは１ミリメートルを下回りさえする短い距離に亘って軸方向研磨処理面より上に突出するに過ぎない場合があることが理解されよう。一般的には、たとえ内側エッジのそのような小さな突出距離が設けられるとしても、軸方向研磨処理面から径方向に投げ出された小さな粒子は、一緒に集められるのが普通であろう。内側エッジは、粒子が内側エッジによって直接的に収集空間内に方向付けられるように形成されてよいが、収集空間内への粒子の輸送は、例えば、軸方向研磨処理面によって生成される気流又は別個のファン又はブロワ構成要素のような、他の手段によって支持されてよい。本発明者は、粒子を収集することによって、悪臭を放つ臭いを有意に減少させ得ることを見出した。何故ならば、これらの粒子は、悪臭を放つ臭いを生成することが特定されたからである。更に、周方向の内側エッジを含む実施形態は、粒子、粉塵及び同等物がデバイスから投げ出されない或いはそのような粒子及び粉塵の放出が少なくとも有意に減少させられるという点において、デバイスの衛生特性を向上させる。
【００２３】
収集空間内に収集される粒子を収集ボックスまで搬送する搬送デバイスによって実施形態を更に改良することができる。一般的に、内側エッジによって捕捉される粒子は、普通は内側エッジに近接して或いは隣接して配置される収集空間のみに収集されてよい。しかしながら、これはその中に蓄積される粒子を除去するために収集空間の頻繁な洗浄を必要とすることがある。この好ましい実施形態によれば、粒子は、収集スペースから、収集頻繁な洗浄の必要性を回避するのに十分な容量を有することがあるボックスに搬送される。
【００２４】
そのような搬送デバイスは、別個の駆動機構を備える別個のユニットであってよいが、搬送デバイスは、駆動機構によって駆動されるファンとして具現されるのが特に好ましい。この改良によれば、搬送デバイスは、皮膚処理要素を駆動する駆動機構によって駆動され、よって、第２の独立した駆動手段の必要性が回避される。ファンは、収集空間から粒子を収集して、これらの粒子を収集ボックスに軸方向に搬送するよう、径方向−軸方向の搬送動作(conveying  action)を提供することが好ましい。代替的に、収集空間から収集ボックスへの粒子のための任意の特定の搬送経路を創り出すために、ファンにある案内要素又は静止案内要素が設けられてよい。ファンとして具現される搬送デバイスは、ファンによって内側エッジと皮膚処理要素との間の間隙に吸引効果が生成されるという点において、内側エッジによる収集空間内の粒子の収集を特に支える場合があることが理解されよう。
【００２５】
一層更に、搬送デバイスは、回転軸について回転可能に取り付けられ、皮膚処理要素と同期して駆動されるのが好ましい。この実施形態によれば、搬送デバイスは、皮膚処理要素と同軸に取り付けられ、よって、軸方向研磨処理面から見て皮膚処理要素の背後に取り付けられるのが好ましく、よって、処理要素の部品内の皮膚処理デバイスの簡単で堅牢な設計を可能にする。
【００２６】
更なる好ましい実施形態によれば、皮膚処理要素は、ハウジングの径方向外向きに、周方向研磨処理面が皮膚処理のためにアクセス可能である領域内に突出する。皮膚処理要素のこの径方向の突起の故に、皮膚処理デバイスは、小さい、アクセスするのが困難である、或いは処理されるときに特に注意を要する、皮膚領域の処理を可能にするために、皮膚の精密な処理のために特に適合される。皮膚処理要素の突起は、この突出区画における軸方向研磨処理面での及び／又は周方向研磨処理面での皮膚の処理を可能にすることがある。
【００２７】
更なる好ましい実施形態によれば、皮膚処理要素は、軸方向研磨処理面を形成する当接面にある研磨処理面を有し、周方向研磨処理面を形成する研磨周方向エッジを有する、ディスク形状の研磨ツールである。この実施形態は、例えば、皮膚処理デバイスの追加的な機能性を可能にするために、皮膚処理要素の交換を可能にする。この目的のために、皮膚処理要素は、２以上（２つ又はそれよりも多く）の異なる皮膚処理要素が代替的に取り付けられることができるように、或いは、それらの切除機能を失った、摩耗した或いは他の理由で使用することができない、皮膚処理要素の交換を可能にするために、解放可能な連動動作(interlocking  action)において駆動機構に連結されるシャフトに取り付けられてよい。ディスク形状の研磨ツールを用いるならば、軸方向研磨処理面及び周方向研磨処理面は互いに隣接して、鋭いエッジであってよい、斜面してよい或いは丸みを帯びてよい円形の隅領域を形成してよいことが理解されよう。更に、周方向研磨処理面は、周方向研磨処理面が径方向−軸方向に向けられるよう、９０°以上の軸方向研磨処理面に対する角度配置にあってよいことが理解されよう。皮膚処理要素は、例えば、ブラシ型ツールと交換されてよく、ブラシ型ツールは、軸方向処理面上にのみブラシを含んでよく、或いは、皮膚の広い領域の処理及び小さな領域の精密な処理を可能にするよう、周方向処理面上にブラシを追加的に含んでよく或いは周方向処理面上にのみブラシを含んでよいことが理解されよう。
【００２８】
更なる好ましい実施形態によれば、
ハンドル区画は、ハンドル軸に沿って延び、回転軸は、ハンドル軸に対して２０°よりも大きく９０°よりも小さい角度で向けられ、下限は、好ましくは、３１°、４１°、及び５１°から選択され、上限は、好ましくは、４９°、５９°、及び７９°から選択され、
皮膚処理要素は、軸方向研磨処理面と周方向研磨処理面との間に０．３ｍｍよりも大きく１０ｍｍよりも小さいエッジ半径を備えるエッジを有するディスク形状であり、下限は、好ましくは、１．１ｍｍ、２．１ｍｍ、及び２．５ｍｍから選択され、上限は、好ましくは、２．１ｍｍ、５．１ｍｍ、及び７．５ｍｍから選択され、
皮膚処理要素は、２５ｍｍよりも大きく５５ｍｍよりも小さいディスク直径を有するディスク形状であり、下限は、好ましくは、３１ｍｍ及び３６ｍｍから選択され、上限は、好ましくは、２９ｍｍ、３９ｍｍ、及び４４ｍｍから選択され、
駆動機構は、皮膚処理要素の回転速度が２００ｒｐｍよりも大きく１０００ｒｐｍよりも小さいように制御するように構成され、下限は、好ましくは、４１０ｒｐｍ及び６１０ｒｐｍから選択され、上限は、好ましくは、６９０ｒｐｍ及び８９０ｒｐｍから選択され、
軸方向研磨処理面及び周方向研磨処理面は、ＡＮＳＩ定義に従って８０よりも精細であり２００よりも粗いグリットサイズ(grit  size)を有する研磨面を形成するように構成され、下限は、好ましくは、１０５，１１５及び１２５から選択され、上限は、好ましくは、１３５、１５５及び１８５から選択される。
【００２９】
この好ましい実施形態によれば、ハンドル区画は回転軸に対して特定の角度範囲に向けられる。ハンドルに対する皮膚処理要素のこの角度的な設計は、ユーザがより良好に処理を制御して、皮膚処理デバイスを用いて精密な処理を行うことがあるように、皮膚処理デバイスの取扱いを容易にしかつ改良することが分かった。固定的な角度が提供されてよいが、代替的に、デバイスは、異なる皮膚領域の処理のためにデバイスを構成するために、ユーザによる前記範囲内の前記角度の調整を可能にするように構成されてよい。更に、この好ましい実施形態によれば、ディスク形状の皮膚処理要素のエッジ半径、皮膚処理要素のディスク直径、皮膚処理要素の回転速度、及び皮膚処理要素の研磨面のグリットサイズは、皮膚処理デバイスの取扱い及び機能性を有意に向上させるために発明者によって特定された特定の範囲のパラメータ値からそれぞれ選択される。特に、これらのパラメータは、皮膚硬結の効果的な研磨を行う能力、精密な処理を行う能力、及び皮膚上の軸方向研磨処理面の角度的な位置決めの場合にねぎり力が生じることを防止する能力の最適な妥協を提供することが見出された。詳細には、小さすぎるハンドル軸と回転軸との間の角度、大きすぎるディスクの回転速度、大きすぎるディスク直径、及び小さすぎるグリットサイズ、即ち、粗すぎる研磨処理面は、デバイスが特定の皮膚領域に精密に位置付けられることができず、ユーザによって十分に打ち消されて制御され得ないねじり力を生じさせる傾向を有する点において、デバイスの制御及び取扱いを損なうことが、発明者によって見出された。他方、大きすぎるハンドル軸と回転軸との間の角度、小さすぎるディスク速度、小さすぎるディスク直径、及び大きすぎるグリットサイズは、皮膚硬結を除去する効率を損なう。更に、回転軸に対するハンドル軸の大きな角度が選択されるならば、ディスクの軸方向研磨処理面を使用することが困難である。かなり小さいディスク直径は、効率的な皮膚硬結除去のために大きな皮膚表面の処理を可能にしないであろう。グリットサイズの定義に関して、本明細書で適用されるＡＮＳＩ定義によれば、グリットサイズは、１００と等しいか或いは１００よりも精細であり、１４０と等しいか或いは１４０よりも粗い。概して、このＡＮＳＩ定義は、紙ヤスリの特徴付け又は未定義の切断エッジを有する任意の他の研磨面のために一般的に使用される。
【００３０】
好ましい実施形態によれば、グリットサイズと回転速度の範囲との間の特定の関係が、追加的な機能性として提供されてよいことが理解されよう。例えば、皮膚処理要素の特定のグリットサイズは、デバイスに組み込まれる認識ユニットによって、例えば、皮膚処理要素で提供されるコード又は同等物によって検出又は認識されてよい。そのような認識の場合、回転速度は、グリットサイズに依存して所定の値に調整されてよく、或いはグリットサイズに最良に適合する所定の範囲に限定されてよい。一般的に、より小さいグリットサイズは、より大きいグリットサイズよりも、より小さい回転速度を必要とすることがある。
【００３１】
更なる好ましい実施形態によれば、皮膚処理デバイスは、皮膚処理要素を完全に包囲するように保護リムと協働するよう、それぞれ回転軸について３０°よりも大きいが２４０°よりも小さい角度範囲に亘って皮膚処理要素を円周方向に包囲するように構成される保護リム要素を更に含み、保護リム要素は、皮膚処理要素がその円周に沿って保護リムによって部分的に包囲される第１の位置から、皮膚処理要素がその円周に沿って保護リム及び保護リム要素によって完全に包囲される第２の位置に切り替えられることができる。この実施形態によれば、回転軸の周りの保護リムの３０°〜２４０°の角度的な間隙は、ハウジング又は保護リムに取り付けられることができる別個の保護リム要素によって閉塞されてよい。結果として、皮膚処理要素は、保護リムと保護リム要素とからなる保護リムによって完全に囲まれることがある。そのような構成は精密な処理を可能にしないことがあるが、それは広い皮膚領域を処理するのに有用であり、デバイスを皮膚上に角度変位で位置決めするときのねじり力の故に、皮膚に亘る並進運動の傾向を更に減少させるのに役立つ。
【００３２】
保護リム要素を第１の位置から第２の位置に切り替えることができ、第１の位置において、皮膚処理要素は、保護リム要素によって完全に包囲されず、むしろ保護リムによって包囲されない皮膚処理要素の区画を使用する精密な処理を可能にするだけである。第２の位置において、保護リム要素は、皮膚処理要素がその周囲に沿って保護リム及びと保護リム要素によって完全に取り囲まれるように、角度的な間隙を閉塞する。この第２の位置において、保護リム要素は、皮膚と面一の接触面を提供するように、保護リムと面一にあることが好ましい。
【００３３】
一般的に、第１の位置から第２の位置への切り替え及び第２の位置から第１の位置への切り替えは、ハウジングに解放可能に取り付けられる或いはハウジングに対して移動可能である保護リム要素によって提供されるのが好ましい。この実施形態によれば、保護リム要素は、第１の位置から第２の位置に或いは第２の位置から第１の位置にスライドさせられるか或いは他の方法で移動させられてよく、第１の位置及び第２の位置の両方で皮膚処理デバイスに取り付けられたままであろう。代替的に、皮膚処理要素は、第２の位置にあるように皮膚処理デバイスに取り外し可能に取り付けられてよく、第１の位置にあるように皮膚処理デバイスから取り外されてよい。
【００３４】
更に好ましい実施形態によれば、保護リムは、回転軸と平行な方向に移動可能であり、保護リムが回転軸に沿って皮膚処理要素より上に軸方向に突出する外向き位置に向かって付勢される。この実施形態によれば、保護リムは、ハウジングに並びに皮膚処理要素に対してしっかりと(rigidly)取り付けられず、むしろ保護リムによって回転軸に沿う限定的な軸方向移動を行うことができるように取り付けられる。保護要素が設けられる場合、この保護要素は、保護リムと同期的な限定的な範囲内で同じ軸方向移動を行う場合があることが理解されよう。
【００３５】
限定的な範囲に亘って回転軸に沿って移動する能力は、ユーザが皮膚に対する皮膚処理デバイスの接触力を増大又は減少させることによってデバイスの切除速度を制御することがあるという点において、デバイスの取扱いが更に改良されることを可能にする。保護リムは、保護リムが軸方向研磨処理面より上に突出することがある或いは軸方向研磨処理面と面一になることがある位置であると理解される外向き位置に向かって付勢される。ユーザが皮膚処理デバイスを皮膚に当てるならば、保護リムは、皮膚処理要素が皮膚と密接に接触して研磨機能を果たすよう、この付勢力に抗して内向きに押される。この研磨機能は、接触力を増大させることにより、保護リムをより内向きに押すことによって、増大させられるであろう。同時に、保護リムは、軸方向研磨処理面が保護リムに対してますます突出するという点において、接触力が増大させられるならば、増大した制御を及ぼすというその機能を部分的に失うことがある。この故に、ユーザは、デバイスと皮膚との間の接触力を制御することによって、デバイスの摩耗の効率及び制御性の妥協を十分に釣り合わせることがある。
【００３６】
保護リムの付勢力は、バネ要素によって或いは他の任意の弾性的に変形可能な要素によって提供されてよいことが理解されよう。更に、保護リム自体は、弾性的に変形可能な材料から作られてよい。
【００３７】
一層更なる好ましい実施形態によれば、保護リムは、互いに対して移動可能な複数のリムセグメントを含む。互いに対して移動可能なそのような複数のリムセグメントは、１以上（１つ又はそれよりも多く）の他のリムセグメント又は単一の残余のリムセグメントに対して１以上のリムセグメントを移動させることによって、保護リムの角度的な又は径方向の広がり(extension)に適合することを可能にする。リムセグメントのそのような移動は、軸方向、径方向、又は軸方向−径方向にあってよい。具体的には、セグメントは、単一の又は複数のリムセグメントが取り外されるか或いは取り付けられて保護リムの一部を形成するような方法において、互いに対して移動させられてよい。実施形態のこの変形によれば、リムセグメントは、皮膚処理デバイスのハウジングに解放可能に取り付けられて、そのような選択的な取外し及び取付けを可能にする。実施形態は、保護リムをより小さな又はより大きな角度範囲に亘って延在する(extend)ように適合させることを特に可能にするが、保護リムが間隙によって互いに分離された２つ、３つ又はそれよりも多くの保護リム領域を含むような方法において、保護リムを変更することを更に可能にし、間隙は、リム領域の間で移動させられ或いは除去されたリムセグメントの寸法又は数に依存して角度的な広がりを有してよい。特に、リムセグメントは、開放可能な形態ロック相互作用(form  locking  interaction)によってハウジングに取り付けられてよい。
【図面の簡単な説明】
【００３８】
【図１ａ】直交向き及び傾斜向きにおける皮膚処理デバイスの側面図を概略的に示している。
【図１ｂ】図１ａのディスク形状の皮膚処理要素の頂面図における反作用力を概略的に示している。
【図２】本発明に従った皮膚処理デバイスの第１の実施形態の側面図を示している。
【図３】図２に示すデバイスの斜視部分側頂面図を示している。
【図４】図２のデバイスの斜視部分頂面図を示している。
【図５】図２のデバイスの斜視部分側面図を示している。
【図６】皮膚処理要素が取り外された図３に従った図を示している。
【図７ａ】保護リムに対する皮膚処理要素の３つの異なる調整を描写する図５に従った斜視図を示している。
【図７ｂ】保護リムに対する皮膚処理要素の３つの異なる調整を描写する図５に従った斜視図を示している。
【図７ｃ】保護リムに対する皮膚処理要素の３つの異なる調整を描写する図５に従った斜視図を示している。
【図８】本発明に従った第２の実施形態の斜視部分側面図を示している。
【図９ａ】本発明の第３の実施形態の斜視部分頂側面図を示している。
【図９ｂ】本発明の第３の実施形態の斜視部分頂側面図を示している。
【図９ｃ】本発明の第３の実施形態の斜視部分頂側面図を示している。
【図１０ａ】２つの異なる調整を描写する本発明の第４の実施形態の斜視部分頂側面図を示している。
【図１０ｂ】２つの異なる調整を描写する本発明の第４の実施形態の斜視部分頂側面図を示している。
【図１１】本発明の第５の実施形態の断面図を示している。
【図１２ａ】３つの異なる構成を描写する本発明の第６の実施形態の斜視図を示している。
【図１２ｂ】３つの異なる構成を描写する本発明の第６の実施形態の斜視図を示している。
【図１２ｃ】３つの異なる構成を描写する本発明の第６の実施形態の斜視図を示している。
【発明を実施するための形態】
【００３９】
ディスク形状の回転式の皮膚処理要素(skin  treatment  element)を利用する皮膚硬結除去デバイス(callus  removal  devices)と関連する典型的な問題が図１ａ及び図１ｂに示されている。図示のように、皮膚処理デバイスは、一般的に、ハンドル１０と、回転軸１について回転するようハンドルに取り付けられるディスク形状の処理要素２０とを含む。図１ａに示すように、回転軸１は、処理されるべき皮膚表面１００上で垂直軸に対して幾分左に傾けられてよく、或いはハンドル１０’、ディスク２０’及び回転軸１’によって描写されるように、幾分右に傾けられてよい。よって、角度αを通じたほんの小さな角度的な傾斜の結果として、軸方向研磨処理面２１、２１’は、もはや皮膚表面１００に対して平行に方向付けられない。軸方向研磨処理面２１、２１’の間のこの角度変位は、図１ｂの概略的な頂面図に示すように、ねじり力(torsional  force)ＴＦ又はＴＦ’をそれぞれ生じさせる。しかしながら、そのようなねじり力は、デバイスの精密な位置決めに関して制御の喪失を引き起こし、皮膚の表面に亘る並進運動を生じさせることがあり、それは望ましくなく、ユーザによって制御可能でもない。
【００４０】
一般的に、そのような制御の喪失の理由は、一方では、軸方向研磨処理面のほんの一部と皮膚との間の摩擦係合にあり、他方では、軸方向研磨処理面と周方向研磨処理面との間の隅領域又は周方向研磨処理面２２，２２’の限定的な角度範囲に亘る局所的な接触にあることが分かった。
【００４１】
図２は、本発明に従った皮膚処理デバイスの第１の実施形態を示している。皮膚処理デバイスは、一般的に、ハンドル区画１１０と処理ヘッド区画１１１とを含むハウジングを含む。ハンドル区画１１０は、電気モータと、エネルギ供給のためにモータに連結される再充電可能なバッテリと、バッテリを再充電するためのソケットと、モータを制御するように構成されたユーザインタフェースとを含んでよい。ユーザインタフェースは、オンオフスイッチを含んでよく、回転速度、回転方向、一方向運動又は往復運動、及び同等のことのような、電気モータのパラメータを調整するための制御手段を更に含んでよい。更に、回転速度、運動の種類又はバッテリレベルのようなパラメータを表示するディスプレイが組み込まれてよい。
【００４２】
図２に見ることができるように、処理ヘッド１１１は、一端にディスク形状の処理要素１２０を含む。ディスク形状の処理要素１２０は、回転軸１０１についての回転運動のために生成される。図から分かるように、回転軸１０１は、ハンドル区画１１０が延びるハンドル軸１０２に対して角度的な向きにある。図２に示す実施形態において、回転軸１０１とハンドル軸１０２との間の角度βは、約７５°である。デバイスの適切な制御を可能にするために、角度βは４０°〜９０°の範囲内にあるのが好ましいことが理解されよう。
【００４３】
図３〜図５に更に詳細に示すように、ディスク形状の処理要素１２０は、軸方向研磨処理面１２１と、周方向研磨処理面１２２とを含む。これら２つの研磨処理面１２１，１２２の間の円形の隅領域は、３ｍｍのディスクエッジ半径を提供するように丸められる。ディスクエッジ半径は、好ましくは、１〜５ｍｍの間にあってよいことが理解されよう。ディスク形状の処理要素は、３３ｍｍのディスク直径１０４を有し、直径は、好ましくは、３０〜３６ｍｍの範囲内で選択されてよい。更に、軸方向研磨処理面１２１，円周方向研磨処理面１２２及び円形の隅領域１２３の両方の表面グリットサイズ(grit  size)は、ＡＮＳＩ定義に従って１２０であり、グリットサイズは、好ましくは、１００〜１４０の範囲内で選択されてよい。周方向研磨処理面のグリットサイズは、軸方向研磨処理面のグリットサイズと異なってよい。更に、円形の隅領域のグリットサイズは、軸方向研磨処理面のグリットサイズと異なってよい。
【００４４】
保護リム１３０は、限定的な角度範囲１０５を通じてディスク形状の処理要素を円周方向に包囲する(encases)。保護リム１３０は、図５に詳細に見ることができるように、軸方向研磨処理面１２１と面一である軸方向に滑らかな皮膚接触面１３１を有する。保護リム１３０は、約２２５°の角度βを通じて延在し、角度βは、１２０°〜３３０°の範囲内で選択されてよい。
【００４５】
その結果、周方向研磨処理面１２２及び隅領域１２３は、大きな角度を通じて保護リムによって覆われ、その小さな角度領域のみが、その中での皮膚処理を可能にするように覆われない。この小さな角度領域は、図４に示す実施形態では１３５°に達するが、３０°〜２４０°の範囲内にあってよい。
【００４６】
保護リムは、処理ヘッドのハウジング区画のモノリシック部品として設計される。図５に見ることができるように、ディスクは、ディスク形状の処理要素の突出区画を使用する精密な処理及び十分な制御のために好ましくは４〜６ｍｍから選択されることがある距離１０６に亘ってハウジング区画１１１から径方向に突出する。
【００４７】
図６は、ディスク形状の処理要素１２０が取り除かれた状態の図３に従った処理ヘッドを示している。図から分かるように、駆動機構がデバイスに組み込まれており、駆動機構は、ディスク形状の処理要素を取り付けるための六角形断面部材の形態の形態ロック要素１４０(form-locking  element)を含む。更に、ディスク形状の処理要素とリム１３０との間の間隙から切削された粒子及び粉塵を除去するように設計される２つの吸引チャネル１５０ａ、ｂを見ることができる。これらのチャネルの機能を以下に詳細に説明する。
【００４８】
図７Ａ〜図７Ｃは、本発明の第１の実施形態の処理ヘッドに組み込まれた特定の機能を示している。図から分かるように、処理ヘッドのケーシング区画１１１は、２つの別個のケーシング要素１１１ａ，１１１ｂに分割されている。保護リム１３０は、ケーシング要素１１１ａと一体である一方で、他のケーシング要素１１１ｂは、ハウジングのハンドル区画１１０に取り付けられている。ケーシング区画１１１ａ及び保護リム１３０は、図７ａの保護リム１３０の代わりに図７ｂに示すようにより低い高さを有する異なる保護リム１３０ｂを取り付けることができるように、解放可能に取り付けられる。これにより、保護リム１３０の皮膚接触面１３１は、図７ａに示すように軸方向研磨処理面１２１と面一になるように調整されてよく、或いは保護リム１３０ｂの皮膚接触面１３１ｂは、図７ｂに示すように軸方向研磨処理面１２１から突出するように調整されてよい。換言すれば、保護リム１３０及びケーシング区画１１１ａは、軸方向研磨処理面１２１が図７ｂに示すように保護リム１３０ｂ内で凹まされるよう、保護リム１３０ｂに対して交換されてよい。
【００４９】
更に、代替的又は追加的な機能として、保護リム１３０及びケーシング区画１１１ａは維持されてよく、皮膚処理要素１２０は、軸方向研磨処理面１２１が図７ｃに示すように保護リム１３０から突出するように、幾分外向きにスライドさせられてよい。皮膚処理要素に対する保護リム１３０のこのスライド移動によって、図７ａに示すような通常位置(regular  position)、図７ｂに示すような増大した制御(increased  control)のための位置、及び図７ｃに示すような増大した切除速度(increased  ablation  rate)のための位置が選択されてよい。
【００５０】
図８は、本発明の第２の実施形態を示している。この第２の実施形態において、保護リム２３０は、第１の実施形態の保護リム１３０と同じように概ね設計されているが、矢印２０７で描写するように回転軸２０１に沿うスライド移動を可能にするように取り付けられている。よって、保護リムは、単一の別個の構成要素として具現されており、処理ヘッドのハウジングと一体的でない。保護リムは、対応するリニア軸受２３５ａ，ｂによって回転軸２０１に沿って案内され、更に、図８に描写する突出位置にバネ付勢される。この突出位置において、軸方向研磨処理面２２１は、保護リム内に幾分凹されており、皮膚に対する保護リムの接触面２３１より下に位置付けられている。図８に示す第２の実施形態を使用するとき、ユーザは、保護リムを、処理されるべき皮膚領域と接触させ、引き続き、保護リムの接触面２３１と皮膚との間の接触領域に圧力を加えるよう手動力を加える。その結果、保護リムは、付勢力に抗して幾分内向きにスライドさせられ、よって、軸方向研磨処理面は、処理されるべき皮膚領域と直接的に接触するようになる。ユーザは、処理ヘッドを皮膚に適用する圧力を制御してよく、それにより、保護リムを付勢力に抗して内向きに多少スライドさせることによって、制御の程度及び切除速度を調整及び均衡させてよい。
【００５１】
図９は、本発明に従った皮膚処理デバイスの第３の実施形態を示している図から分かるように、この第３の実施形態に従った皮膚処理デバイスは、処理ヘッドに異なる保護リム３３０ａ，３３０ｂを取り付けるように構成されている。図９ａは、保護リムが処理ヘッド３１１に取り付けられておらず、その結果、非常に効率的な切除速度を可能にするが減少した制御速度を有することを可能にする突出したディスク形状の処理要素３２０がもたらされる、構成を示している。図９ｂは、処理ヘッドに装着され、第１及び第２の実施形態を参照して前述したような皮膚処理要素の部分的な包囲(encasing)をもたらす、保護リム３３０ａを示している。保護リム３３０ａは、皮膚と接触する軸方向研磨処理面と面一である皮膚接触面を得るように設計されている。
【００５２】
図９ｃは、処理ヘッドに取り付けられた異なる保護リム３３０ｂを示している。図から分かるように、この保護リム３３０ｂは、互いに対向して配置され、よって、皮膚処理要素の２つの包囲されていない角度領域３３３ｂ，３３４ｂを提供する、第１及び第２のリム区画３３１ｂ，３３２ｂを含む。
第１の包囲されていない角度領域３３４ｂは、第１及び第２の実施形態を参照して記載した１３５°の包囲されていない角度領域と同一である。第２の包囲されていない角度領域３３３ｂは、この第１の角度領域に対向しており、第１の角度領域と略同じ角度に亘って延在している。
【００５３】
図１０ａ及び図１０ｂは、本発明の第４の実施形態を示している。この第４の実施形態に従った皮膚処理デバイスは、図２〜図６に示す第１の実施形態の保護リム１３０と主に同一であるように設計された保護リム４３０を含み、第１の実施形態の僅かに丸みを帯びた径方向−接線方向の輪郭の代わりに直線的な径方向の輪郭を有するよう設計された保護リムの角度的な端部分４３０ａ，４３０ｂで多少の設計変更がなされている。第４の実施形態は、２つの位置で示され、図１０ａに示す第１の凹まされた位置と図１０ｂに示す第２の面一の位置との間で切り替えられることができる、保護リム要素４６０を更に含む。保護リム要素４６０は、保護リム４３０によって残された角度的な間隙（ギャップ）を充填し、よって、図１０ｂに示す第２の位置に切り替えられるときに、３６０°の周を通じたディスク形状の処理要素４２０の完全に包囲をもたらす。よって、この第２の位置において、大きな表面の処理のための改良された制御が保護リム要素４６０によってもたらされる。
【００５４】
図１０ａに示す第１の位置に切り替えられるために、皮膚処理要素４２０が保護リム４３０によってのみ包囲されることにより、１３５°の角度領域において保護リム４３０から突出するよう、保護リム要素４６０は、回転軸の方向に沿って凹まされた位置にスライドされる。よって、この第１の位置において、構成は、第１の実施形態の保護リム１３０によって提供される構成と概ね同一であり、皮膚処理要素４２０の突出区画による精密な処理を可能にする。具体的には、この第１の位置において、精密な処理のために周方向研磨処理面を使用することができる一方で、図１０ｂに示す第２の位置において、この周方向研磨処理面は、保護リム４３０及び保護リム要素４６０によって完全に覆われる。
【００５５】
図１１は、本発明のある実施形態に従って提供される保護リムの追加的な機能を詳細に説明している。この追加的な機能は、これまでに説明した全ての４つの実施形態によって、即ち、これらの実施形態に組み込まれた保護リム又は保護リム要素によって提供される場合があることが理解されよう。
【００５６】
図から分かるように、保護リムは、中空形状のシェル要素として形成され、よって、内側空間５７０を提供する。保護リム５３０は、軸方向研磨処理面から径方向／円周方向に投げ出されるあらゆる粉塵又は粒子が保護リムの下に入り、保護リムの内面５３２によって内側空間５７０の外側円形領域である周方向の集塵空間５３３に向けられるよう、軸方向研磨処理面５２１より上に幾分突出している。引き続き、集塵空間５３３内に収集された粒子及び粉塵は、チャネル５５０ａ，５５０ｂ（これらのチャネル５５０ａ，５５０ｂは、図６に示すチャネル１５０ａ，１５０ｂに対応することが理解されよう）を介して、皮膚処理デバイスに組み込まれた集塵ボックス又は同等物内に排出されることがある。
【００５７】
図１２ａは、皮膚処理要素の取付けのために適合されている形態ロック部材６４０の周りの部分的な角度範囲に亘って延在する保護リムの特定の設計を有する第６の実施形態の処理ヘッドの詳細図を示している。この特定の設計は、これまでに説明した全ての５つの実施形態に組み込まれてよいことが理解されよう。図１２ａに示す実施形態は、複数のリムセグメント６３０ａ〜６３０ｋで構成される保護リム６３０を含む。図１２ａに示す実施形態では、合計１１個のリムセグメントが、約２２５°の角度範囲に亘って延在し、約１３５°の開口間隙を残す、連続的な保護リムを形成している。前記間隙に隣接し、保護リムのそれぞれの端に位置付けられる、２つのリムセグメント６３０ａ，６３０ｋは、他のリムセグメント６３０ｂ〜６３０ｊよりも幾分長い。
【００５８】
各リムセグメントは、デバイスのハウジングに設けられる対応する開口６３１ａ〜６３１ｋに挿入される非円形断面を備える軸方向に延びるピンを含む。各ピンは、解放可能に取り付けられ、そのような対応する開口内に形態ロック(形態係止)される(form-locked)ことができる。これにより、単一のセグメント又は複数のセグメントが他のセグメントに対して移動させられて、ハウジングから取り外されてよい。
【００５９】
図１２ｂは、リムセグメント６３０ａ，６３０ｂ及び６３０ｊ，６３０ｋが取り除かれた第２の構成を示している。結果として、保護リムは、リムセグメント６３０ｃ〜６３０ｉのみで構成され、よって、この第２の構成において、保護リム６３０の角度的な広がりは、図１２ａに示す第１の構成における角度的な広がりよりも小さい。
【００６０】
図１２ｃは、リムセグメント６３０ｂ〜６３０ｅ及び６３０ｇ〜６３０ｊが取り除かれた第３の構成を示している。結果として、保護リムは、リムセグメント６３０ａ，６３０ｈ，６３０ｋのみで構成され、よって、３つの単一の保護リム領域６３０’，６３０”，６３０’”を形成し、それらの間には間隙がある。
【００６１】
当業者は、図面、本開示、及び添付の請求項の検討から、請求する発明を実施する際に、開示の実施形態に対する他の変形を理解して実施することができる。
【００６２】
請求項において、「含む」という単語は、他の要素又はステップを排除せず、単数形の表現は、複数を排除しない。
【００６３】
請求項中の如何なる参照符号も、その範囲を限定するものとして解釈されてならない。
【図１Ａ】
2019536533.tif 000003
【図１Ｂ】
2019536533.tif 000004
【図２】
2019536533.tif 000005
【図３】
2019536533.tif 000006
【図４】
2019536533.tif 000007
【図５】
2019536533.tif 000008
【図６】
2019536533.tif 000009
【図７Ａ】
2019536533.tif 000010
【図７Ｂ】
2019536533.tif 000011
【図７Ｃ】
2019536533.tif 000012
【図８】
2019536533.tif 000013
【図９Ａ】
2019536533.tif 000014
【図９Ｂ】
2019536533.tif 000015
【図９Ｃ】
2019536533.tif 000016
【図１０Ａ】
2019536533.tif 000017
【図１０Ｂ】
2019536533.tif 000018
【図１１】
2019536533.tif 000019
【図１２Ａ】
2019536533.tif 000020
【図１２Ｂ】
2019536533.tif 000021
【図１２Ｃ】
2019536533.tif 000022
【国際調査報告】
2019536533.tif 000023
2019536533.tif 000024
2019536533.tif 000025